(57)【要約】【課題】建物の空調を行いつつ低エネルギー化を図ることが可能な空調システムを提供することを課題とする。【解決手段】空調機２は、運転モードとして建物１００の温度を調節する冷房手段及び暖房手段と建物１００の外気を建物１００の内部に送風する送風手段とを備えており、建物の外部の温度が設定温度範囲に含まれない場合、冷房手段又は暖房手段が作動し、建物の外部の温度が設定温度範囲に含まれる場合、送風手段に切り換わることを特徴とする。【選択図】図１
2012172952.tif 000002
【特許請求の範囲】
【請求項１】
運転モードとして冷房手段、暖房手段及び送風手段を備えた空調機と、
建物の外部の温度を計測する建物外計測手段と、
利用者が設定した前記建物の内部に係る設定温度範囲と、前記建物の外部の温度と前記設定温度範囲とに対応した運転モードの切換条件と、を予め記憶する記憶手段と、
複数の前記運転モードのうち、前記切換条件に適合した前記運転モードを選択する運転モード選択手段と、
前記運転モード選択手段で選択された運転モードに前記空調機の運転を切り換える運転モード切換手段と、を有し、
前記建物の外部の温度が前記設定温度範囲に含まれない場合、前記運転モードが前記冷房手段又は暖房手段に切り換わり、
前記建物の外部の温度が前記設定温度範囲に含まれる場合、前記運転モードが前記送風手段に切り換わることを特徴とする空調システム。
【請求項２】
運転モードとして冷房手段、暖房手段及び送風手段を備えた空調機と、
建物の外部の温度を計測する建物外計測手段と、
前記建物の内部の温度を計測する建物内計測手段と、
利用者が設定した前記建物の内部に係る設定温度範囲と、前記建物の外部の温度と内部の温度と前記設定温度範囲とに対応した前記運転モードの切換条件と、を予め記憶する記憶手段と、
複数の前記運転モードのうち、前記切換条件に適合した前記運転モードを選択する運転モード選択手段と、
前記運転モード選択手段で選択された運転モードに運転を切り換える運転モード切換手段と、を有し、
前記建物の外部の温度が前記設定温度範囲に含まれない場合、及び、前記建物の外部の温度が設定温度範囲に含まれるが内部の温度が設定温度範囲に含まれない場合、前記運転モードが前記冷房手段又は暖房手段に切り換わり、
前記建物の外部の温度が前記設定温度範囲に含まれ、かつ、前記建物の内部の温度が前記設定温度範囲に含まれる場合、前記運転モードが前記送風手段に切り換わることを特徴とする空調システム。
【請求項３】
運転モードとして除湿手段、加湿手段及び送風手段を備えた空調機と、
建物の外部の湿度を計測する建物外計測手段と、
利用者が設定した前記建物の内部に係る設定湿度範囲と、前記建物の外部の湿度と前記設定湿度範囲とに対応した運転モードの切換条件と、を予め記憶する記憶手段と、
複数の前記運転モードのうち、前記切換条件に適合した前記運転モードを選択する運転モード選択手段と、
前記運転モード選択手段で選択された運転モードに前記空調機の運転を切り換える運転モード切換手段と、を有し、
前記建物の外部の湿度が前記設定湿度範囲に含まれない場合、前記運転モードが前記除湿手段又は加湿手段に切り換わり、
前記建物の外部の湿度が前記設定湿度範囲に含まれる場合、前記運転モードが前記送風手段に切り換わることを特徴とする空調システム。
【請求項４】
運転モードとして除湿手段、加湿手段及び送風手段を備えた空調機と、
建物の外部の湿度を計測する建物外計測手段と、
前記建物の内部の湿度を計測する建物内計測手段と、
利用者が設定した前記建物の内部に係る設定湿度範囲と、前記建物の外部の湿度と内部の湿度と前記設定湿度範囲とに対応した運転モードの切換条件と、を予め記憶する記憶手段と、
複数の前記運転モードのうち、前記切換条件に適合した前記運転モードを選択する運転モード選択手段と、
前記運転モード選択手段で選択された運転モードに前記空調機の運転を切り換える運転モード切換手段と、を有し、
前記建物の外部の湿度が前記設定湿度範囲に含まれない場合、及び、前記建物の外部の湿度が設定湿度範囲に含まれるが内部の湿度が設定湿度範囲に含まれない場合、前記運転モードが前記除湿手段又は加湿手段に切り換わり、
前記建物の外部の湿度が前記設定湿度範囲に含まれ、かつ、前記建物の内部の湿度が前記設定湿度範囲に含まれる場合、前記運転モードが前記送風手段に切り換わることを特徴とする空調システム。
【発明の詳細な説明】
【技術分野】
【０００１】
本発明は、建物の空調システムに関する。
【背景技術】
【０００２】
従来、建物の全体の空調を行う空調システムが知られている。この空調システムは、例えば、冷房、暖房、除湿、加湿、空気洗浄、脱臭等を行うことができる複合型の空調機と、この空調機と各居室や廊下等を連結するダクトと、空調機を制御する制御部とで主に構成されている。制御部は、例えば利用者が設定した温度を記憶できるようになっており、建物の内部がその設定した温度となるように空調機を制御する。このような空調システムは、例えば特許文献１に記載されている。
【０００３】
例えば、従来の空調システムでは、建物の内部の空気が、利用者が予め設定した温度から外れている場合は、強冷房又は強暖房を作動させて設定した温度になるように運転し、建物の内部の空気が利用者が予め設定した温度になった場合は、例えば弱冷房又は弱暖房を作動させてその設定した温度を維持するように設定されている。
【先行技術文献】
【特許文献】
【０００４】
【特許文献１】特開平６−２２９５８８号公報
【発明の概要】
【発明が解決しようとする課題】
【０００５】
従来の空調システムは、例えば、夏季の夜等、建物の外部の温度が低下してその温度が、利用者が設定した温度と同等になる場合であっても、熱交換等を行って空調を行っていた。しかしながら、このような場合にまで、熱交換等を行って空調を行うことは、必要以上のエネルギーが消費されていることになる。利用者が空調システムをＯＦＦにしたり、運転モードを切り換えたりすることで対応することはできるが、利用者に操作負担を強いることになる。
【０００６】
本発明は、前記した問題に鑑みて創案されたものであり、建物の空調を行いつつ省エネルギー化を図ることが可能な空調システムを提供することを課題とする。
【課題を解決するための手段】
【０００７】
前記課題を解決するため、本発明は、運転モードとして冷房手段、暖房手段及び送風手段を備えた空調機と、建物の外部の温度を計測する建物外計測手段と、利用者が設定した前記建物の内部に係る設定温度範囲と、前記建物の外部の温度と前記設定温度範囲とに対応した運転モードの切換条件と、を予め記憶する記憶手段と、複数の前記運転モードのうち、前記切換条件に適合した前記運転モードを選択する運転モード選択手段と、前記運転モード選択手段で選択された運転モードに前記空調機の運転を切り換える運転モード切換手段と、を有し、前記建物の外部の温度が前記設定温度範囲に含まれない場合、前記運転モードが前記冷房手段又は暖房手段に切り換わり、前記建物の外部の温度が前記設定温度範囲に含まれる場合、前記運転モードが前記送風手段に切り換わることを特徴とする。
【０００８】
かかる構成によれば、建物の外部の温度が、利用者が設定した設定温度範囲に含まれている場合は、空調機の運転モードを送風手段に切り換えて建物の内部に外気をそのまま取り入れる。送風手段は、冷房手段や暖房手段に比べて消費するエネルギーが少ないため、省エネルギー化を図ることができる。また、設定温度範囲に含まれている外気を取り入れることで、建物の内部を利用者が望む環境に空調することができる。また、予め記憶された切換条件に基づいて運転モードが切り換わるため、利用者の操作負担を低減することができる。また、利用者は、温度の範囲を設定できるため、空調機にかかる負担を軽減できるとともに、環境共生効果も増大させることができる。
【０００９】
また、本発明は、運転モードとして冷房手段、暖房手段及び送風手段を備えた空調機と、建物の外部の温度を計測する建物外計測手段と、前記建物の内部の温度を計測する建物内計測手段と、利用者が設定した前記建物の内部に係る設定温度範囲と、前記建物の外部の温度と内部の温度と前記設定温度範囲とに対応した前記運転モードの切換条件と、を予め記憶する記憶手段と、複数の前記運転モードのうち、前記切換条件に適合した前記運転モードを選択する運転モード選択手段と、前記運転モード選択手段で選択された運転モードに前記空調機の運転を切り換える運転モード切換手段と、を有し、前記建物の外部の温度が前記設定温度範囲に含まれない場合、及び、前記建物の外部の温度が設定温度範囲に含まれるが内部の温度が設定温度範囲に含まれない場合、前記運転モードが前記冷房手段又は暖房手段に切り換わり、前記建物の外部の温度が前記設定温度範囲に含まれ、かつ、前記建物の内部の温度が前記設定温度範囲に含まれる場合、前記運転モードが前記送風手段に切り換わることを特徴とする。
【００１０】
かかる構成によれば、建物の外部と内部の温度が、設定温度範囲に含まれている場合は、空調機の運転モードを送風手段に切り換えて建物の内部に外気をそのまま取り入れる。送風手段は、冷房手段や暖房手段に比べて消費するエネルギーが少ないため、省エネルギー化を図ることができる。また、建物の外部及び内部の温度が設定温度範囲に含まれた状態で、設定温度範囲に含まれている外気を取り入れることで、快適性を向上させることができる。また、予め記憶された切換条件に基づいて運転モードが切り換わるため、利用者の操作負担を低減することができる。また、利用者は、例えば温度の範囲を設定できるため、空調機にかかる負担を軽減できるとともに、環境共生効果も増大させることができる。
【００１１】
また、本発明は、運転モードとして除湿手段、加湿手段及び送風手段を備えた空調機と、建物の外部の湿度を計測する建物外計測手段と、利用者が設定した前記建物の内部に係る設定湿度範囲と、前記建物の外部の湿度と前記設定湿度範囲とに対応した運転モードの切換条件と、を予め記憶する記憶手段と、複数の前記運転モードのうち、前記切換条件に適合した前記運転モードを選択する運転モード選択手段と、前記運転モード選択手段で選択された運転モードに前記空調機の運転を切り換える運転モード切換手段と、を有し、前記建物の外部の湿度が前記設定湿度範囲に含まれない場合、前記運転モードが前記除湿手段又は加湿手段に切り換わり、前記建物の外部の湿度が前記設定湿度範囲に含まれる場合、前記運転モードが前記送風手段に切り換わることを特徴とする。
【００１２】
かかる構成によれば、建物の外部の湿度が、利用者が設定した設定湿度範囲に含まれている場合は、空調機の運転モードを送風手段に切り換えて建物の内部に外気をそのまま取り入れる。送風手段は、除湿手段や加湿手段に比べて消費するエネルギーが少ないため、省エネルギー化を図ることができる。また、設定湿度範囲に含まれている外気を取り入れることで、建物の内部を利用者が望む環境に空調することができる。また、予め記憶された切換条件に基づいて運転モードが切り換わるため、利用者の操作負担を低減することができる。また、利用者は、湿度の範囲を設定できるため、空調機にかかる負担を軽減できるとともに、環境共生効果も増大させることができる。
【００１３】
また、本発明は、運転モードとして除湿手段、加湿手段及び送風手段を備えた空調機と、建物の外部の湿度を計測する建物外計測手段と、前記建物の内部の湿度を計測する建物内計測手段と、利用者が設定した前記建物の内部に係る設定湿度範囲と、前記建物の外部の湿度と内部の湿度と前記設定湿度範囲とに対応した運転モードの切換条件と、を予め記憶する記憶手段と、複数の前記運転モードのうち、前記切換条件に適合した前記運転モードを選択する運転モード選択手段と、前記運転モード選択手段で選択された運転モードに前記空調機の運転を切り換える運転モード切換手段と、を有し、前記建物の外部の湿度が前記設定湿度範囲に含まれない場合、及び、前記建物の外部の湿度が設定湿度範囲に含まれるが内部の湿度が設定湿度範囲に含まれない場合、前記運転モードが前記除湿手段又は加湿手段に切り換わり、前記建物の外部の湿度が前記設定湿度範囲に含まれ、かつ、前記建物の内部の湿度が前記設定湿度範囲に含まれる場合、前記運転モードが前記送風手段に切り換わることを特徴とする。
【００１４】
かかる構成によれば、建物の外部と内部の湿度が、設定湿度範囲に含まれている場合は、空調機の運転モードを送風手段に切り換えて建物の内部に外気をそのまま取り入れる。送風手段は、除湿手段や加湿手段に比べて消費するエネルギーが少ないため、省エネルギー化を図ることができる。また、建物の内部の湿度が設定湿度範囲に含まれた状態で、設定湿度範囲に含まれている外気を取り入れることで、快適性を向上させることができる。また、予め記憶された切換条件に基づいて運転モードが切り換わるため、利用者の操作負担を低減することができる。また、利用者は、例えば湿度の範囲を設定できるため、空調機にかかる負担を軽減できるとともに、環境共生効果も増大させることができる。
【発明の効果】
【００１５】
本発明に係る空調システムによれば、建物の空調を行いつつ省エネルギー化を図ることができる。
【図面の簡単な説明】
【００１６】
【図１】本実施形態に係る空調システムを示す全体模式図である。
【図２】本実施形態に係る空調機を示す図であって（ａ）は斜視図、（ｂ）は模式水平断面図である。
【図３】本実施形態に係る空調システムを示すブロック図である。
【図４】本実施形態に係る操作パネルを示した図である。
【図５】（ａ）は基本全館空調運転において温度のみ設定した場合の切換条件を示した表であり、（ｂ）は基本全館空調運転において湿度のみ設定した場合の切換条件を示した表である。
【図６】基本全館空調運転において温度と湿度を両方設定した場合の切換条件を示した表である。
【図７】（ａ）は全館空調高省エネ運転において温度のみ設定した場合の切換条件を示した表であり、（ｂ）は全館空調高省エネ運転において湿度のみ設定した場合の切換条件を示した表である。
【図８】全館空調高省エネ運転において温度と湿度を両方設定した場合の切換条件を示した表である。
【図９】全館空調低省エネ運転において温度のみを設定した場合の切換条件を示した表である。
【図１０】全館空調低省エネ運転において湿度のみを設定した場合の切換条件を示した表である。
【図１１】全館空調低省エネ運転において温度及び湿度の両方を設定した場合の切換条件を示した表である。
【図１２】空調システムの動作を示したフローチャートである。
【図１３】基本全館空調運転の温度に係る動作を示したフローチャートである。
【図１４】基本全館空調運転の湿度に係る動作を示したフローチャートである。
【図１５】全館空調高省エネ運転の動作を示したフローチャートである。
【図１６】全館空調低省エネ運転の動作を示したフローチャートである。
【発明を実施するための形態】
【００１７】
以下、本発明の実施形態について、図面を参照して詳細に説明する。本実施形態に係る空調システム１は、図１に示すように、例えば住宅やマンションなどの建物１００の内部の空調を行うシステムである。まずは、建物１００の構成について簡単に説明する。
【００１８】
＜建物１００の構成＞
建物１００は、基礎部１０１と、居住部１０２と、天井部１０３とで構成されている。居住部１０２は、２階建てになっており、一階床１１１と、外壁１１２，１１３と、一階天井１１４と、二階床１１５と、二階天井１１６とで主に構成されている。居住部１０２の内部には、内壁や間仕切り等で構成された居住空間Ｊが形成されている。
【００１９】
居住部１０２は、本実施形態では、五つの空間が形成されており、それぞれ第一居住空間Ｊ１、第二居住空間Ｊ２、第三居住空間Ｊ３、第四居住空間Ｊ４及び機械室Ｊ５とする。各空間は、内壁、間仕切り、階段、廊下等を介して空気が流通するようになっている。
【００２０】
天井部１０３は、屋根１２５で主に構成されている。屋根裏空間Ｎは、二階天井１１６と外壁１１２，１１３と屋根１２５とで囲まれた空間である。
【００２１】
＜空調システム１の構成＞
空調システム１は、図１及び図２に示すように、空調機２と、連結ダクト３と、制御装置４とで主に構成されている。本実施形態に係る空調システム１は、建物１００（居住部１０２）の内部が、利用者が設定した環境となるように建物１００の全体の空気を管理するとともに、送風を行って建物１００の外気を効率よく取り入れることで省エネルギー化を図るものである。
【００２２】
空調システム１は、送風を行わないで空調を行う「基本全館空調運転」に加えて、送風を行うことで外気を積極的に取り入れて高い省エネルギー化を図れる「全館空調高省エネ運転」と、建物１００の内部の環境を考慮しつつ送風を行うことで外気を取り入れて省エネルギー化を図れる「全館空調低省エネ運転」とを実行することができる。
【００２３】
空調機２は、各居住空間の空気の冷房、暖房、除湿、加湿等を行うことができる複合型の空調装置であって機械室Ｊ５に設置されている。空調機２は、図１及び図２に示すように、室内機１１と、室外機１２と、外気を取得する外気取得手段１３と、建物１００の内部の空気を排気する排気手段１４と、建物１００の内部の空気を室内機１１内に取り入れるリターンエア取得部１５とで主に構成されている。
【００２４】
室内機１１の内部には、図示しない熱交換器ユニット、ヒートポンプ式の冷暖房ユニット、除湿ユニット、加湿ユニット等が形成されており、空調された空気が連結ダクト３から各居住空間に送られるように構成されている。室内機１１は、図３に示すように、空調手段として、冷房手段２１、暖房手段２２、除湿手段２３、加湿手段２４、送風手段２５、清浄手段２６、脱臭手段２７を備えている。各空調手段の詳細については後記する。
【００２５】
室外機１２は、図１に示すように、冷媒管１２ａを介して室内機１１に接続されている。外気取得手段１３は、図２の（ｂ）に示すように、建物１００の外部の空気を室内機１１内に取り入れる。外気取得手段１３は、本実施形態では外壁１１２を貫通するダクト１３ａとダクト１３ａに連通する流路に設けられた図示しない吸気ファンとで構成されている。外気取得手段１３は、図示しない熱交換器ユニットに接続されている。
【００２６】
ダクト１３ａには、取り入れた外気の温度及び湿度等の環境条件を計測する建物外温湿度センサＫ１が設置されている。建物外温湿度センサＫ１は、特許請求の範囲の「建物外計測手段」に相当する。
【００２７】
建物外温湿度センサＫ１は、制御装置４と電気的に接続されており、検知した温度信号及び湿度信号を制御装置４に送信するように構成されている。本実施形態では、例えば３０分おきに温度信号及び湿度信号が制御装置４に送信されるようになっている。建物外温湿度センサＫ１は、外気の取り込み口に設置されているため、外気と略同じ温度や湿度を取得することができる。なお、温度信号及び湿度信号が制御装置４に送信される間隔については適宜設定すればよい。また、本実施形態では、建物外温湿度センサＫ１をダクト１３ａの内部に設置したが、建物１００の外部に設置してもよい。
【００２８】
排気手段１４は、建物１００の内部の空気を外部へ排気する。排気手段１４は、本実施形態では、図示しない熱交換器ユニットに接続されており、外壁１１２を貫通するダクト１４ａとダクト１４ａに連通する流路に設けられた図示しない排気ファンとで構成されている。後記するリターンエア取得部１５によって取り込まれた建物１００の内部の空気の一部は、熱交換器ユニットに吸込まれ排気手段１４を介して建物１００の外部に排気される。
【００２９】
リターンエア取得部１５は、建物１００の内部の空気を循環させるために室内機１１内に空気を取り入れるための部位である。リターンエア取得部１５は、図２に示すように、室内機１１の内部に連通する開口部１５ａとこの開口部１５ａの内部に設けられた図示しない吸気ファンとで構成されている。リターンエア取得部１５は、図示しない熱交換器ユニット、除湿ユニット及び加湿ユニットに接続されている。
【００３０】
開口部１５ａ付近には、建物１００の内部の温度及び湿度等の環境条件を計測する建物内計測手段としての建物内温湿度センサＫ２が設置されている。建物内温湿度センサＫ２は、特許請求の範囲の「建物内計測手段」に相当する。
【００３１】
建物内温湿度センサＫ２は、制御装置４と電気的に接続されており、検知した温度信号及び湿度信号を制御装置４に送信するように構成されている。本実施形態では、建物外温湿度センサＫ１と同じタイミングで、例えば３０分おきに温度信号及び湿度信号が制御装置４に送信されるようになっている。建物内温湿度センサＫ２は、建物１００の内部の空気の取り込み口に設置されているため、居住空間Ｊと略同じ温度や湿度を取得することができる。
【００３２】
なお、温度信号及び湿度信号が制御装置４に送信される間隔については適宜設定すればよい。また、建物内温湿度センサＫ２は、本実施形態では開口部１５ａ付近に設置したが、居住空間Ｊの壁等に設置してもよい。
【００３３】
空調機２は、図３に示すように、建物１００の内部の空調を行うための運転モードとして複数の空調手段を備えている。冷房手段２１及び暖房手段２２は、室内機１１内の冷暖房ユニットにおいてヒートポンプにより温度調節を行うように構成されている。外気取得手段１３によって取り込まれた外気は、熱交換器ユニットにおいて、リターンエア取得部１５によって取り込まれた建物１００の内部の空気の一部と熱交換され、冷暖房ユニットへ送られるようになっている。冷房手段２１及び暖房手段２２は、例えば、建物１００の内部の環境が設定温度範囲に含まれていない場合は、出力の大きい強冷房又は強暖房を行って建物１００の内部の空気が設定範囲に含まれるように構成されている。一方、冷房手段２１及び暖房手段２２は、例えば、建物１００の内部の空気が設定温度範囲に含まれている場合は、出力の小さい弱冷房又は弱暖房を行って建物１００の内部の空気が設定温度範囲を維持するように構成されている。
【００３４】
ここで、「設定温度範囲」とは、利用者が設定した建物１００の内部の温度の範囲を意味する。一方、「設定湿度範囲」とは、利用者が設定した建物１００の内部の湿度の範囲を意味する。
【００３５】
除湿手段２３及び加湿手段２４は、空気の湿度調節を行う。除湿手段２３及び加湿手段２４では、リターンエア取得部１５によって取り込まれた建物１００の内部の空気を利用して除湿又は加湿をそれぞれ行う。除湿手段２３及び加湿手段２４は、例えば、建物１００の内部の空気が設定湿度範囲に含まれていない場合は、出力の大きい強除湿又は強加湿を行って建物１００の内部の空気が設定温度範囲に含まれるように構成されている。
【００３６】
一方、除湿手段２３及び加湿手段２４は、例えば、建物１００の内部の空気が設定湿度範囲に含まれている場合は、出力の小さい弱除湿又は弱加湿を行って建物１００の内部の空気が設定湿度範囲を維持するように構成されている。
【００３７】
送風手段２５は、連結ダクト３と外気取得手段１３とを連結するダクトと、ファン（いずれも図示省略）とを備えており、外気取得手段１３から取り入れた外気を熱交換せずにそのまま建物１００の内部に送風するように構成されている。
【００３８】
冷房手段２１、暖房手段２２、除湿手段２３、加湿手段２４及び送風手段２５は、制御装置４と電気的に接続されており、制御装置４から送信される信号に基づいて作動又は停止するように構成されている。
【００３９】
冷房手段２１及び暖房手段２２はいずれか一方のみが作動するようになっている。除湿手段２３と加湿手段２４はいずれか一方のみが作動するようになっている。冷房手段２１及び暖房手段２２のいずれか一方と、除湿手段２３及び加湿手段２４のいずれか一方とは同時に作動することができるようになっている。また、送風手段２５と除湿手段２３及び加湿手段２４のいずれか一方とは同時に作動することができるようになっている。
【００４０】
清浄手段２６は、空気のゴミや塵などを取り除いて空気の清浄を行う。脱臭手段２７は、空気の脱臭を行う。清浄手段２６及び脱臭手段２７は、例えば、室内機１１内に設けられた空気清浄・脱臭フィルターで構成されている。本実施形態では空調システム１を作動させるときは、清浄手段２６及び脱臭手段２７は常に機能するようになっている。
【００４１】
連結ダクト３は、図１に示すように、空調機２から送り出される空気を各居住空間Ｊ１〜Ｊ４に供給する。連結ダクト３は、一階用分岐チャンバＣ１と、二階用分岐チャンバＣ２と、各ダクトとで構成されている。
【００４２】
一階用分岐チャンバＣ１は、屋根裏空間Ｎに配設されている。一階用分岐チャンバＣ１は、空調機２から送られた空気を一階の第一居住空間Ｊ１及び第二居住空間Ｊ２に供給するための部材である。一階用分岐チャンバＣ１は、主ダクトＤ１を介して空調機２に連結されている。また、一階用分岐チャンバＣ１は、分岐ダクトＤ２を介して第一吹出口Ｆ１に連結され、分岐ダクトＤ３を介して第二吹出口Ｆ２に連結され、分岐ダクトＤ４を介して第三吹出口Ｆ３に連結されている。
【００４３】
二階用分岐チャンバＣ２は、屋根裏空間Ｎに配置されている。二階用分岐チャンバＣ２は、空調機２から送られた空気を二階の第三居住空間Ｊ３及び第四居住空間Ｊ４に供給するための部材である。二階用分岐チャンバＣ２は、主ダクトＤ５を介して空調機２に連結されている。また、二階用分岐チャンバＣ２は、分岐ダクトＤ６を介して第四吹出口Ｆ４に連結され、分岐ダクトＤ７を介して第五吹出口Ｆ５に連結され、分岐ダクトＤ８を介して第六吹出口Ｆ６に連結されている。なお、二階天井１１６には、一階用分岐チャンバＣ１を点検するための点検口１１６ｂと二階用分岐チャンバＣ２を点検するための点検口１１６ａが形成されている。
【００４４】
なお、空調機２のハード面においては、前記した構成に限定されるものではなく、全館冷暖房、除湿、加湿、送風、空気清浄、脱臭機能を備えた公知の空調機を用いてもよい。
【００４５】
制御装置４は、空調機２を制御する装置である。制御装置４は、図３に示すように、本実施形態では、操作パネル３１と、計測手段３２と、記憶部３３と、制御部３４と、運転モード切換手段３５とで主に構成されている。
【００４６】
操作パネル３１は、ボタン等で構成された操作手段３７と、モニタ等で構成された表示手段３８を備えている。操作手段３７は、制御部３４に電気的に接続されており、利用者が操作した設定温度範囲、設定湿度範囲や運転モード等の信号が制御部３４に送信されるようになっている。利用者が設定した設定温度範囲及び設定湿度範囲は、制御部３４を介して記憶部３３に記憶される。
【００４７】
表示手段３８は、建物１００の内外の現状の温度及び湿度を表示したり、利用者が設定した設定温度範囲や設定湿度範囲を表示したりする。また、表示手段３８は、制御部３４から送られてくる信号に基づいて、現状の運転モードを表示できるようになっている。操作パネル３１の一例については後記する。
【００４８】
計測手段３２は、建物１００の内部及び外部の温度及び湿度を取得してその信号を制御部３４に送信する。計測手段３２は、本実施形態では建物１００の外部の温度及び湿度を計測する建物外温湿度センサＫ１と、建物１００の内部の温度及び湿度を計測する建物内温湿度センサＫ２を備えている。
【００４９】
記憶部３３は、ＲＡＭやＲＯＭ等を備えており、空調機２における「基本全館空調運転」、「全館空調高省エネ運転」、「全館空調低省エネ運転」を実行するための各種プログラム、運転モードの切換条件、利用者が設定した設定温度範囲及び設定湿度範囲等を記憶する機能を有している。切換条件については後記する。
【００５０】
制御部３４は、ＣＰＵ等の演算装置を備えており、操作パネル３１の操作に基づいて「暖房」、「冷房」、「除湿」、「加湿」、「送風」の５種類の個別運転と、「基本全館空調運転」、「全館空調高省エネ運転」、「全館空調低省エネ運転」の３種類のマニュアル運転を実行するように制御装置４の全体の動作を制御する。制御部３４は、マニュアル運転では、計測手段３２から送信された温度信号及び湿度信号と、記憶部３３に記憶された設定温度範囲及び設定湿度範囲の少なくとも一方とを読み出して、記憶部３３に予め記憶されている運転モードの切換条件と照合して空調機２の運転モードを選択する。本実施形態では、３０分おきに温度及び湿度を取得するように設定しているので、制御部３４は温度信号及び湿度信号の入力を契機に３０分毎に照合（判定）を行う。
【００５１】
本実施形態では、制御部３４は、操作パネル３１の操作によって設定された温度及び湿度の両方又はいずれか一方に基づいて、制御装置４の動作を制御することができるようになっている。制御部３４は、選択した運転モードに関する運転モード選択信号を運転モード切換手段３５に送信する。制御部３４は、特許請求の範囲の「運転モード選択手段」に相当する。
【００５２】
運転モード切換手段３５は、制御部３４から送られてきた運転モード選択信号に基づいて、選択された運転モードを作動又は停止させるよう冷房手段２１、暖房手段２２、除湿手段２３、加湿手段２４及び送風手段２５に作動信号又は停止信号を送信する。
【００５３】
このように制御装置４は、建物１００の内外の環境条件に基づいて空調機２の運転モードを制御することにより、建物１００の空調を行うように構成されている。
【００５４】
図４は、実施形態に係る操作パネルを示した図である。操作パネル３１は、電源ボタン４０と、上段に配置されたマニュアル運転部４１及び個別運転部４２と、中段に配置された設定範囲部４３と、下段に配置された現状環境表示部４４とを備えている。
【００５５】
電源ボタン４０は、空調システム１の運転又は停止をするためのボタンである。電源ボタン４０は、運転をしているときは点灯し、運転していないときは消灯するようになっている。
【００５６】
マニュアル運転部４１には、基本全館空調ボタン４５と、高省エネボタン４６と、低省エネボタン４７とが形成されている。利用者が、基本全館空調ボタン４５をＯＮ又はＯＦＦにすると制御装置４が「基本全館空調運転」の制御を実行又は停止し、高省エネボタン４６をＯＮ又はＯＦＦにすると制御装置４が「全館空調高省エネ運転」の制御を実行又は停止し、低省エネボタン４７をＯＮ又はＯＦＦにすると、制御装置４が「全館空調低省エネ運転」を実行又は停止するように構成されている。基本全館空調ボタン４５、高省エネボタン４６、低省エネボタン４７は、各運転が作動しているときに点灯し、停止しているときは消灯するようになっている。
【００５７】
個別運転部４２には、暖房手段２２に対応する暖房ボタン５１、冷房手段２１に対応する冷房ボタン５２、除湿手段２３に対応する除湿ボタン５３、加湿手段２４に対応する加湿ボタン５４、清浄手段２６に対応する清浄ボタン５５、脱臭手段２７に対応する脱臭ボタン５６、送風手段２５に対応する送風ボタン５７が形成されている。各運転モードが作動している場合は、それに対応するボタンが点灯し、停止している場合は、それに対応するボタンが消灯するようになっている。
【００５８】
また、本実施形態では、電源ボタン４０をＯＮにした後、暖房ボタン５１、冷房ボタン５２、除湿ボタン５３、加湿ボタン５４、送風ボタン５７をそれぞれＯＮ又はＯＦＦにすることで、各運転モードが個別に運転又は停止するように構成されている。
【００５９】
なお、マニュアル運転部４１のいずれか一のボタンをＯＮにすると、他のボタンはＯＦＦになるように構成されている。
【００６０】
設定範囲部４３には、設定温度範囲ボタン６１と、設定湿度範囲ボタン６２と、設定温度最小値表示部６３と、設定温度最大値表示部６４と、カウントボタン６５と、設定湿度最小値表示部６６と、設定湿度最大値表示部６７と、カウントボタン６８とが形成されている。
【００６１】
利用者が建物１００の内部の温度を設定したい場合は、設定温度範囲ボタン６１をＯＮにしつつ、カウントボタン６５を操作して所望の温度の最小値と最大値を入力する。設定温度最小値表示部６３及び設定温度最大値表示部６４には、利用者が望む温度の最小値及び最大値がそれぞれ表示される。入力された設定温度範囲は、記憶部３３に記憶される。利用者が温度の設定を望まない場合は、設定温度範囲ボタン６１をＯＦＦにする。設定温度範囲ボタン６１をＯＮにすると設定温度範囲ボタン６１が点灯し、ＯＦＦにすると消灯するようになっている。設定温度範囲ボタン６１がＯＦＦの場合、カウントボタン６５の操作は無効である。
【００６２】
利用者が建物１００の内部の湿度を設定したい場合は、設定湿度範囲ボタン６２をＯＮにしつつ、カウントボタン６８を操作して所望の湿度の最小値と最大値を入力する。設定湿度最小値表示部６６及び設定湿度最大値表示部６７には、利用者が望む湿度の最小値及び最大値がそれぞれ表示される。入力された設定湿度範囲は、記憶部３３に記憶される。利用者が湿度の設定を望まない場合は、設定湿度範囲ボタン６２をＯＦＦにする。設定湿度範囲ボタン６２をＯＮにすると設定湿度範囲ボタン６２が点灯し、ＯＦＦにすると消灯するようになっている。設定湿度範囲ボタン６２がＯＦＦの場合、カウントボタン６８の操作は無効である。
【００６３】
現状環境表示部４４には、建物１００の内部の温度を表示する室内温度表示部７１と、建物１００の内部の湿度を表示する室内湿度表示部７２と、建物１００の外部の温度を表示する外気温度表示部７３と、建物１００の外部の湿度を表示する外気湿度表示部７４とが形成されている。
【００６４】
制御部３４は、建物内温湿度センサＫ２から送信された温度を室内温度表示部７１に表示させ、湿度を室内湿度表示部７２に表示させる。また、制御部３４は、建物外温湿度センサＫ１から送信された温度を外気温度表示部７３に表示させ、湿度を外気湿度表示部７４に表示させる。これにより、利用者は、現状の建物１００の内部の温度及び湿度と外部の温度及び湿度を把握することができる。
【００６５】
なお、図4に示す操作パネル３１はあくまで一例であって、本発明を限定するものではない。例えば、リモコンで制御装置４を操作できるように構成してもよい。
【００６６】
＜運転モードの切換条件＞
次に、記憶部３３に予め記憶されている運転モードの切換条件について説明する。
空調システム１は、本実施形態では、「暖房」、「冷房」、「除湿」、「加湿」、「送風」の５種類の個別運転と、「基本全館空調運転」、「全館空調高省エネ運転」、「全館空調低省エネ運転」の３種類のマニュアル運転を実行するように構成されている。空調システム１は、各マニュアル運転において、設定温度範囲のみ設定した場合、設定湿度範囲のみ設定した場合、設定温度範囲及び設定湿度範囲の両方を設定した場合について運転を行うことができる。
なお、個別運転については、前記した個別運転部４２の各ボタンを操作することで該当する空調手段が個別に運転するだけであるため、詳細な説明は省略する。
【００６７】
＜基本全館空調運転＞
基本全館空調運転は、全館空調高省エネ運転及び全館空調低省エネ運転の前提となる運転方式であって、建物１００の内部の温度及び湿度が、利用者が設定した温度及び湿度となるように運転する。図５の（ａ）は基本全館空調運転において温度のみ設定した場合の切換条件を示した表であり、（ｂ）は基本全館空調運転において湿度のみ設定した場合の切換条件を示した表である。図６は基本全館空調運転において温度と湿度を両方設定した場合の切換条件を示した表である。
【００６８】
各表の縦の項目は、建物１００の内部の環境条件と運転モードを示している。図５の（ａ）の「Ｔｒ」は建物の内部の温度（建物内温度）を示し、「Ｔmin」は設定温度範囲の最小値を示し、「Ｔmax」は設定温度範囲の最大値を示す。図５の（ｂ）の「Ｍｒ」は建物の内部の湿度（建物内湿度）を示し、「Ｍmin」は設定湿度範囲の最小値を示し、「Ｍmax」は設定湿度範囲の最大値を示す。「ｅｘＴｒ＝２４℃」とは、建物の内部の温度が例えば２４℃である場合を示しており、「ｅｘＭｒ＝５０％」とは、建物の内部の湿度が例えば５０％である場合を示している。設定温度は例えば２２〜２６℃、設定湿度は例えば４０〜６０％に設定されているものとする。
【００６９】
図５の（ａ）に示すように、切換条件１〜３は、基本全館空調運転において、温度のみ設定した場合の切換条件を示している。
【００７０】
切換条件１では、制御部３４が、建物内温湿度センサＫ２（図３参照）から送信された建物内温度Ｔｒが設定温度範囲の最小値Ｔminから最大値Ｔmaxに含まれる（Ｔmin≦Ｔｒ≦Ｔmax）と判定した場合、「弱冷房」又は「弱暖房」を選択するように設定されている。つまり、制御部３４は、建物１００の内部の温度が設定温度範囲内を維持するように「弱冷房」又は「弱暖房」を選択する。
【００７１】
弱冷房又は弱暖房の選択は、夏及び秋は弱冷房、冬及び春は弱暖房などと季節と対応させてもよいし、外気の基準温度値（例えば２５℃）を決めておき、基準温度値より建物外温湿度センサＫ１で検出された現状の外気の温度が高かったら弱冷房、低かったら弱暖房となるように設定してもよい。また、例えば、それまで強冷房が作動していた場合は弱冷房を選択し、強暖房が作動していた場合は弱暖房を選択するように設定してもよい。
【００７２】
切換条件２では、制御部３４が、建物内温湿度センサＫ２から送信された建物内温度Ｔｒが設定温度範囲の最大値Ｔmaxを超える（Ｔmax＜Ｔｒ）と判定した場合、「強冷房」を選択するように設定されている。
【００７３】
切換条件３では、制御部３４が、建物内温湿度センサＫ２から送信された建物内温度Ｔｒが設定温度範囲の最小値Ｔminに満たない（Ｔｒ＜Ｔmin）と判定した場合、「強暖房」を選択するように設定されている。
【００７４】
図５の（ｂ）に示すように、切換条件４〜６は、基本全館空調運転において、湿度のみ設定した場合の切換条件を示している。
【００７５】
切換条件４では、制御部３４が、建物内温湿度センサＫ２（図３参照）から送信された建物内湿度Ｍｒが設定湿度範囲の最小値Ｍminから最大値Ｍmaxに含まれる（Ｍmin≦Ｍｒ≦Ｍmax）と判定した場合、「弱除湿」又は「弱加湿」を選択するように設定されている。つまり、建物１００の内部の湿度が設定湿度範囲内を維持するように「弱除湿」又は「弱加湿」を選択する。
【００７６】
弱除湿又は弱加湿の選択は、夏及び秋は弱除湿、冬及び春は弱加湿などと季節と対応させてもよいし、外気の基準湿度値（例えば５０％）を決めておき、基準湿度値より建物外温湿度センサＫ１で検出された現状の外気の湿度が高かったら弱除湿、低かったら弱加湿となるように設定してもよい。また、例えば、それまで強除湿が作動していた場合は弱除湿を選択し、強加湿が作動していた場合は弱加湿を選択するように設定してもよい。
【００７７】
切換条件５では、制御部３４が、建物内温湿度センサＫ２から送信された建物内湿度Ｍｒが設定湿度範囲の最大値Ｍmaxを超える（Ｍmax＜Ｍｒ）と判定した場合、「強除湿」を選択するように設定されている。
【００７８】
切換条件６では、制御部３４が、建物内温湿度センサＫ２から送信された建物内湿度Ｍｒが設定湿度範囲の最小値Ｍminに満たない（Ｍｒ＜Ｍmin）と判定した場合、「強加湿」を選択するように設定されている。
【００７９】
図６に示すように、切換条件７〜１５は、基本全館空調運転において、温度及び湿度を設定した場合の切換条件を示している。
【００８０】
切換条件７〜１５は、切換条件１〜３と切換条件４〜６とをＡＮＤ条件でそれぞれ組み合わせたものと同等であるため、各条件を図６に示して詳細な説明は省略する。
【００８１】
＜全館空調高省エネ運転＞
全館空調高省エネ運転は、建物の内部の環境を利用者が設定した環境にするとともに高い省エネ効果を図ることができる運転方式である。全館空調高省エネ運転は、外気の環境に応じて送風を行う点で基本全館空調運転と相違する。
【００８２】
図７の（ａ）は全館空調高省エネ運転において温度のみ設定した場合の切換条件を示した表であり、（ｂ）は全館空調高省エネ運転において湿度のみ設定した場合の切換条件を示した表である。図８は、全館空調高省エネ運転において温度と湿度を両方設定した場合の切換条件を示した表である。
【００８３】
全館空調高省エネ運転は、基本的には「基本全館空調運転」を行い、ある条件が揃ったときに、「送風」に切り換わるように設定されている。表の縦の項目は、建物１００の外部の環境条件と運転モードを示している。図７の（ａ）の「Ｔｇ」は建物の外部の温度（建物外温度）を示し、図７の（ｂ）の「Ｍｇ」は建物の外部の湿度（建物外湿度）を示している。
【００８４】
図７の（ａ）に示すように、切換条件１６〜１８は、全館空調高省エネ運転において温度のみ設定した場合の切換条件を示している。
【００８５】
切換条件１６では、制御部３４が、建物外温湿度センサＫ１（図３参照）から送信された建物外温度Ｔｇが設定温度範囲の最小値Ｔminから最大値Ｔmaxに含まれる（Ｔmin≦Ｔｇ≦Ｔmax）と判定した場合、「送風」を選択するように設定されている。
【００８６】
切換条件１７では、制御部３４が、建物外温湿度センサＫ１（図３参照）から送信された建物外温度Ｔｇが設定温度範囲の最大値Ｔmaxを超える（Ｔmax＜Ｔｇ）と判定した場合、前記した「基本全館空調運転」を実行するように設定されている。
【００８７】
切換条件１８では、制御部３４が、建物外温湿度センサＫ１（図３参照）から送信された建物外温度Ｔｇが設定温度範囲の最小値Ｔminに満たない（Ｔｇ＜Ｔmin）と判定した場合、前記した「基本全館空調運転」を実行するように設定されている。
【００８８】
図７の（ｂ）に示すように、切換条件１９〜２１は、全館空調高省エネ運転において湿度のみ設定した場合の切換条件を示している。
【００８９】
切換条件１９では、制御部３４が、建物外温湿度センサＫ１（図３参照）から送信された建物外湿度Ｍｇが設定湿度範囲の最小値Ｍminから最大値Ｍmaxに含まれる（Ｍmin≦Ｍｇ≦Ｍmax）と判定した場合、「送風」を選択するように設定されている。
【００９０】
切換条件２０では、制御部３４が、建物外温湿度センサＫ１（図３参照）から送信された建物外湿度Ｍｇが設定湿度範囲の最大値Ｔmaxを超える（Ｍmax＜Ｍｇ）と判定した場合、前記した「基本全館空調運転」を実行するように設定されている。
【００９１】
切換条件２１では、制御部３４が、建物外温湿度センサＫ１（図３参照）から送信された建物外湿度Ｍｇが設定湿度範囲の最小値Ｍminに満たない（Ｍｇ＜Ｍmin）と判定した場合、前記した「基本全館空調運転」を実行するように設定されている。
【００９２】
図８に示すように、切換条件２２〜３０は、全館空調高省エネ運転において温度及び湿度を設定した場合の切換条件を示している。
【００９３】
切換条件２２では、制御部３４が、建物外温湿度センサＫ１（図３参照）から送信された建物外温度Ｔｇが設定温度範囲の最小値Ｔminから最大値Ｔmaxに含まれる（Ｔmin≦Ｔｇ≦Ｔmax）と判定し、かつ、建物外湿度Ｍｇが設定湿度範囲の最小値Ｍminから最大値Ｍmaxに含まれる（Ｍmin≦Ｍｇ≦Ｍmax）と判定した場合、「送風」を選択するように設定されている。
【００９４】
切換条件２３〜３０は、建物外温度Ｔｇ及び建物外湿度Ｍｇの少なくともいずれか一方が設定範囲に含まれない場合、前記した「基本全館空調運転」を実行するように設定されている。つまり、切換条件２３〜３０では、外気が設定範囲に含まれないから送風は行わない。
【００９５】
＜全館空調低省エネ運転＞
全館空調低省エネ運転は、建物の内部の環境を利用者が設定した環境にするとともに、省エネを図ることができる運転方式である。全館空調低省エネ運転は、外気の環境に応じて送風を行う点で基本全館空調運転と相違する。また、全館空調低省エネ運転は、省エネ効率は全館空調高省エネ運転より低いが、全館空調高省エネ運転よりも建物の内部の環境を快適にすることができる運転方式である。
【００９６】
図９は、全館空調低省エネ運転において温度のみを設定した場合の切換条件を示した表である。図９に示すように、切換条件３１〜３９は、全館空調低省エネ運転において、建物１００の外部の温度と内部の温度に基づいて判定するように設定されている。全館空調低省エネ運転では、基本的には「基本全館空調運転」を行い、ある条件が揃ったときに、「送風」に切り換わるように設定されている。
【００９７】
切換条件３１では、制御部３４が、建物外温湿度センサＫ１（図３参照）から送信された建物外温度Ｔｇが設定温度範囲の最小値Ｔminから最大値Ｔmaxに含まれる（Ｔmin≦Ｔｇ≦Ｔmax）と判定し、かつ、建物内温湿度センサＫ２から送信された建物内温度Ｔｒが設定温度範囲の最小値Ｔminから最大値Ｔmaxに含まれる（Ｔmin≦Ｔｒ≦Ｔmax）と判定した場合、「送風」を選択するように設定されている。
【００９８】
切換条件３２及び切換条件３３では、制御部３４が、建物外温湿度センサＫ１（図３参照）から送信された建物外温度Ｔｇが設定温度範囲の最小値Ｔminから最大値Ｔmaxに含まれる（Ｔmin≦Ｔｇ≦Ｔmax）と判定したが、建物内温度Ｔｒが設定温度範囲に含まれない（Ｔmax＜Ｔｒ、Ｔｒ＜Ｔmin）と判定した場合、前記した「基本全館空調運転」を実行するように設定されている。つまり、前記した全館空調高省エネ運転では図７の切換条件１６に示すように、外気が設定温度範囲に含まれれば直ちに送風を行うが、この全館空調低省エネ運転では建物の内部の温度を設定温度範囲に含めることを優先するため、全館空調高省エネ運転よりも省エネ効率は低下するが、建物の内部を快適にすることができる。
【００９９】
切換条件３４〜３９では、制御部３４が、建物外温湿度センサＫ１（図３参照）から送信された建物外温度Ｔｇが設定温度範囲の最大値Ｔmaxを超える（Ｔmax＜Ｔｇ）と判定した場合か、又は、建物外温度Ｔｇが設定温度範囲の最小値Ｔminに満たない（Ｔｇ＜Ｔmin）と判定された場合、前記した「基本全館空調運転」を実行するように設定されている。つまり、切換条件３４〜３９では、外気が設定温度範囲に含まれないから送風は行わない。
【０１００】
図１０は、全館空調低省エネ運転において湿度のみを設定した場合の切換条件を示した表である。図１０に示すように、切換条件４０〜４８は、全館空調低省エネ運転において、建物１００の外部の湿度と内部の湿度に基づいて判定するように設定されている。
【０１０１】
切換条件４０では、制御部３４が、建物外温湿度センサＫ１（図３参照）から送信された建物外湿度Ｍｇが設定温度範囲の最小値Ｍminから最大値Ｍmaxに含まれる（Ｍmin≦Ｍｇ≦Ｍmax）と判定し、かつ、建物内温湿度センサＫ２（図３参照）から送信された建物内湿度Ｍｒが設定湿度範囲の最小値Ｍminから最大値Ｍmaxに含まれる（Ｍmin≦Ｍｒ≦Ｍmax）と判定した場合、「送風」を選択するように設定されている。
【０１０２】
切換条件４１及び切換条件４２では、制御部３４が、建物外温湿度センサＫ１（図３参照）から送信された建物外湿度Ｍｇが設定湿度範囲の最小値Ｍminから最大値Ｍmaxに含まれる（Ｍmin≦Ｍｇ≦Ｍmax）と判定したが、建物内湿度Ｍｒが設定温度範囲に含まれない（Ｍmax＜Ｍｒ、Ｍｒ＜Ｍmin）と判定した場合、前記した「基本全館空調運転」を実行するように設定されている。つまり、前記した全館空調高省エネ運転では図７の切換条件１９に示すように、外気が設定湿度範囲に含まれれば直ちに送風を行うが、この全館空調低省エネ運転では建物の内部の湿度を設定湿度範囲に含めることを優先するため、全館空調高省エネ運転よりも省エネ効率は低下するが、建物の内部を快適にすることができる。
【０１０３】
切換条件４３〜４８では、制御部３４が、建物外温湿度センサＫ１（図３参照）から送信された建物外湿度Ｍｇが設定湿度範囲の最大値Ｍmaxを超える（Ｍmax＜Ｍｇ）と判定した場合か、又は、建物外湿度Ｍｇが、設定湿度範囲の最小値Ｍminに満たない（Ｍｇ＜Ｍmin）と判定した場合、前記した「基本全館空調運転」を実行するように設定されている。つまり、切換条件４３〜４８では、外気が設定湿度範囲に含まれないから送風は行わない。
【０１０４】
図１１は、全館空調低省エネ運転において温度及び湿度の両方を設定した場合の切換条件を示した表である。図１１に示すように、切換条件４９〜１２９（設定範囲に含まれる場合と超過する場合と満たない場合とで３通りあり、それが建物の内外の温度又は湿度で４項目あるため３の４乗の８１通り）は、建物１００の外部の温度及び湿度と、内部の温度及び湿度に基づいて判定するように設定されている。
【０１０５】
切換条件４９は、制御部３４が、建物外温湿度センサＫ１（図３参照）から送信された建物外温度Ｔｇが設定温度範囲の最小値Ｔminから最大値Ｔmaxに含まれる（Ｔmin≦Ｔｇ≦Ｔmax）と判定し、かつ、建物外湿度Ｍｇが設定湿度範囲の最小値Ｍminから最大値Ｍmaxに含まれる（Ｍmin≦Ｍｇ≦Ｍmax）と判定し、かつ、建物内温湿度センサＫ２（図３参照）から送信された建物内温度Ｔｒが設定温度範囲の最小値Ｔminから最大値Ｔmaxに含まれる（Ｔmin≦Ｔｒ≦Ｔmax）と判定し、かつ、建物内湿度Ｍｒが設定湿度範囲の最小値Ｍminから最大値Ｍmaxに含まれる（Ｍmin≦Ｍｒ≦Ｍmax）と判定した場合、「送風」を選択するように設定されている。
【０１０６】
切換条件５０〜５７では、制御部３４が、建物外温湿度センサＫ１（図３参照）から送信された建物外温度Ｔｇが設定温度範囲の最小値Ｔminから最大値Ｔmaxに含まれる（Ｔmin≦Ｔｇ≦Ｔmax）と判定し、かつ、建物外湿度Ｍｇが設定湿度範囲の最小値Ｍminから最大値Ｍmaxに含まれる（Ｍmin≦Ｍｇ≦Ｍmax）と判定したが、建物内温度Ｔｒ及び建物内湿度Ｍｒの少なくとも一方が設定範囲から外れていると判定した場合、前記した「基本全館空調運転」を実行するように設定されている。つまり、前記した全館空調高省エネ運転では、図８の切換条件２２に示すように、外気が設定温度範囲及び設定湿度範囲に含まれれば直ちに送風を行っているが、この全館空調低省エネ運転では建物の内部の温度及び湿度をそれぞれの設定範囲に含めることを優先するため、全館空調高省エネ運転よりも省エネ効率は低下するが、建物の内部を快適にすることができる。
【０１０７】
切換条件５８〜１２９では、制御部３４が、建物外温湿度センサＫ１（図３参照）から送信された建物外温度Ｔｇが設定温度範囲に含まれない場合、又は、建物外湿度Ｍｇが設定湿度範囲に含まれない場合、「基本全館空調運転」を実行するように設定されている。つまり、外気が設定温度範囲及び設定湿度範囲に含まれないから送風は行わない。
【０１０８】
次に、フローチャートを用いて本実施形態に係る空調システム１の動作について説明する。
【０１０９】
図１２は、空調システムの動作を示したフローチャートである。図１３は、基本全館空調運転の温度に係る動作を示したフローチャートである。図１４は、基本全館空調運転の湿度に係る動作を示したフローチャートである。図１５は、全館空調高省エネ運転の動作を示したフローチャートである。図１６は、全館空調低省エネ運転の動作を示したフローチャートである。
【０１１０】
図１２に示すように、まず、制御部３４は、電源ボタン４０がＯＮになっているか否かを判定する（ステップＳ１）。
【０１１１】
電源ボタン４０がＯＮになっていると判定した場合（ステップＳ１，ＹＥＳ）、制御部３４は、基本全館空調ボタンがＯＮになっているか否か判定する（ステップＳ２）。電源ボタン４０がＯＮになっていないと判定した場合（ステップＳ１，ＮＯ）は終了する。
【０１１２】
基本全館空調ボタンがＯＮになっていると判定した場合（ステップＳ２，ＹＥＳ）、制御部３４は、ステップＳ１１及びステップＳ２１（図１３及び図１４参照）を行う。基本全館空調ボタンがＯＮになっていないと判定した場合（ステップＳ２，ＮＯ）、制御部３４は、高省エネボタンがＯＮになっているか否かを判定する（ステップＳ３）。
【０１１３】
高省エネボタンがＯＮになっていると判定した場合（ステップＳ３，ＹＥＳ）、制御部３４は、ステップＳ３１（図１４参照）を行う。高省エネボタンがＯＮになっていないと判定した場合（ステップＳ３，ＮＯ）、制御部３４は、低省エネボタンがＯＮになっているか否かを判定する（ステップＳ４）。
【０１１４】
低省エネボタンがＯＮになっていると判定した場合（ステップＳ４，ＹＥＳ）、制御部３４は、ステップＳ４１（図１６参照）を行う。低省エネボタンがＯＮになっていないと判定した場合（ステップＳ４，ＮＯ）、制御部３４は、個別運転部のボタンがＯＮになっているか否かを判定する（ステップＳ５）。
【０１１５】
個別運転部のボタンがＯＮになっていると判定した場合（ステップＳ５，ＹＥＳ）、制御部３４は、ＯＮになっている運転モードを選択する。制御部３４は、選択した運転モード選択信号を運転モード切換手段３５に送信する。運転モード切換手段３５は、制御部３４から送信された運転モード選択信号を受けると、対応する運転モードに作動信号を送信し、対応しない運転モードに停止信号を送信する。制御部３４は、利用者がＯＮにした個別運転部のボタンにかかる運転モードを選択し、ステップＳ１に戻る。
【０１１６】
個別運転ボタンがＯＮになっていないと判定した場合（ステップＳ５，ＮＯ）、つまり、マニュアル運転部４１及び個別運転部４２のいずれのボタンもＯＮになっていない場合、制御部３４は、ステップＳ１に戻る。
【０１１７】
＜基本全館空調運転の動作＞
基本全館空調ボタンがＯＮになっていると判定した場合（ステップＳ２，ＹＥＳ）、制御部３４は、図１３に示す温度に係る制御と、図１４に示す湿度に係る制御を並行して行う。
【０１１８】
図１３に示すように、制御部３４は、設定温度範囲ボタン６１がＯＮになっているか否か判定する（ステップＳ１１）。設定温度範囲ボタン６１がＯＮになっていると判定した場合（ステップＳ１１，ＹＥＳ）、制御部３４は、建物内温湿度センサＫ２から温度信号を受信したか否か判定する（ステップＳ１２）。設定温度範囲ボタン６１がＯＮになっていないと判定した場合（ステップＳ１１，ＮＯ）、ステップＳ１（図１２参照）に戻る。
【０１１９】
温度信号を受信したと判定した場合（ステップＳ１２，ＹＥＳ）、制御部３４は、建物内温湿度センサＫ２によって計測された建物内温度Ｔｒが、設定温度範囲に含まれるか否か判定する（ステップＳ１３）。温度信号を受信していないと判定した場合（ステップＳ１２，ＮＯ）、制御部３４は、ステップＳ１２の判定を繰り返し行う。
【０１２０】
建物内温度Ｔｒが、設定温度範囲に含まれると判定した場合（ステップＳ１３，ＹＥＳ）、制御部３４は、記憶部３３に予め記憶されている切換条件を参照して弱冷房又は弱暖房を選択する（ステップＳ１４）。
【０１２１】
建物内温度Ｔｒが、設定温度範囲に含まれないと判定した場合（ステップＳ１３，ＮＯ）、制御部３４は、建物内温度Ｔｒが、設定温度範囲の最大値Ｔmaxよりも大きいか否かを判定する（ステップＳ１５）。
【０１２２】
建物内温度Ｔｒが、設定温度範囲の最大値Ｔmaxよりも大きいと判定した場合（ステップＳ１５，ＹＥＳ）、制御部３４は、記憶部３３に予め記憶されている切換条件を参照して強冷房を選択する（ステップＳ１６）。
【０１２３】
建物内温度Ｔｒが、設定温度範囲の最大値Ｔmaxよりも大きくないと判定した場合（ステップＳ１５，ＮＯ）、つまり、建物内温度Ｔｒが設定温度範囲の最小値Ｔminより小さい場合、制御部３４は、記憶部３３に予め記憶されている切換条件を参照して強暖房を選択する（ステップＳ１７）。
【０１２４】
ステップＳ１４，１６，１７のそれぞれのステップにおいて、制御部３４は、選択した運転モード選択信号を運転モード切換手段３５に送信する。運転モード切換手段３５は、制御部３４から送信された運転モード選択信号を受けると、対応する運転モードに作動信号を送信し、対応しない運転モードに停止信号を送信する。制御部３４は、運転モードを選択したら、ステップＳ１（図１２参照）に戻る。
【０１２５】
また、図１４に示すように、制御部３４は、設定湿度範囲ボタン６２がＯＮになっているか否か判定する（ステップＳ２１）。設定湿度範囲ボタン６２がＯＮになっていると判定した場合（ステップＳ２１，ＹＥＳ）、制御部３４は、建物内温湿度センサＫ２から湿度信号を受信したか否か判定する（ステップＳ２２）。設定湿度範囲ボタン６２がＯＮになっていないと判定した場合（ステップＳ２２，ＮＯ）、ステップＳ１（図１２参照）に戻る。
【０１２６】
湿度信号を受信したと判定した場合（ステップＳ２２，ＹＥＳ）、制御部３４は、建物内温湿度センサＫ２によって計測された建物内湿度Ｍｒが、設定湿度範囲に含まれるか否か判定する（ステップＳ２３）。湿度信号を受信していないと判定した場合（ステップＳ２２，ＮＯ）、制御部３４は、ステップＳ２２の判定を繰り返し行う。
【０１２７】
建物内湿度Ｍｒが、設定湿度範囲に含まれると判定した場合（ステップＳ２３，ＹＥＳ）、制御部３４は、記憶部３３に予め記憶されている切換条件を参照して弱除湿又は弱加湿を選択する（ステップＳ２４）。
【０１２８】
建物内湿度Ｍｒが、設定湿度範囲に含まれないと判定した場合（ステップＳ２３，ＮＯ）、制御部３４は、建物内湿度Ｍｒが、設定湿度範囲の最大値Ｍmaxよりも大きいか否かを判定する（ステップＳ２５）。
【０１２９】
建物内湿度Ｍｒが、設定湿度範囲の最大値Ｍmaxよりも大きいと判定した場合（ステップＳ２５，ＹＥＳ）、制御部３４は、記憶部３３に予め記憶されている切換条件を参照して強除湿を選択する（ステップＳ２６）。
【０１３０】
建物内湿度Ｍｒが、設定湿度範囲の最大値Ｍmaxよりも大きくないと判定した場合（ステップＳ２５，ＮＯ）、つまり、建物内湿度Ｍｒが設定湿度範囲の最小値Ｍminより小さい場合、制御部３４は、記憶部３３に予め記憶されている切換条件を参照して強加湿を選択する（ステップＳ２７）。
【０１３１】
ステップＳ２４，２６，２７のそれぞれのステップにおいて、制御部３４は、選択した運転モード選択信号を運転モード切換手段３５に送信する。運転モード切換手段３５は、制御部３４から送信された運転モード選択信号を受けると、対応する運転モードに作動信号を送信し、対応しない運転モードに停止信号を送信する。制御部３４は、運転モードを選択したら、ステップＳ１（図１２参照）に戻る。
【０１３２】
以上示した基本全館空調運転では建物１００の内部の温度及び湿度が、利用者が設定した設定温度範囲及び設定湿度範囲に含まれていなければこの範囲に含まれるように空調し、含まれていればその状態を維持するように運転する。
【０１３３】
＜全館空調高省エネ運転の動作＞
図１２に示すように、ステップＳ３において、高省エネボタンがＯＮになっていると判定した場合（ステップＳ３，ＹＥＳ）、図１５に示すように、制御部３４は、全館空調高省エネ運転の制御を行う。ここでは、全館空調高省エネ運転において、温度のみ設定した場合を中心に説明する。
【０１３４】
制御部３４は、設定温度範囲ボタンが及び設定湿度範囲ボタンの両方がＯＮになっているか否か判定する（ステップＳ３１）。
【０１３５】
設定温度範囲ボタンが及び設定湿度範囲ボタンの両方がＯＮになっていない場合（ステップＳ３１，ＮＯ）、制御部３４は、設定湿度範囲ボタンのみがＯＮになっているか否か判定する（ステップＳ３２）。
【０１３６】
設定湿度範囲ボタンのみがＯＮになっていない場合（ステップＳ３２，ＮＯ）、制御部３４は、設定温度範囲ボタンのみがＯＮになっているか否か判定する（ステップＳ３３）。
【０１３７】
設定温度範囲ボタンのみがＯＮになっている場合（ステップＳ３３，ＹＥＳ）、制御部３４は、温度信号を受信したか否か判定する（ステップＳ３４，ＹＥＳ）。設定温度範囲ボタンのみがＯＮになっていない場合（ステップＳ３３，ＮＯ）、つまり、設定温度範囲ボタン及び設定湿度範囲ボタンのいずれもＯＮになっていない場合、ステップ３１に戻る。
【０１３８】
温度信号を受信したと判定した場合（ステップＳ３４，ＹＥＳ）、制御部３４は、建物外温湿度センサＫ１によって計測された建物外温度Ｔｇが設定温度範囲に含まれるか否か判定する（ステップＳ３５）。温度信号を受信していないと判定した場合（ステップＳ３４，ＮＯ）、ステップＳ３４の判定を繰り返し行う。
【０１３９】
建物外温度Ｔｇが設定温度範囲に含まれると判定した場合（ステップＳ３５，ＹＥＳ）、制御部３４は、記憶部３３に予め記憶されている切換条件を参照して送風を選択する（ステップＳ３６）。
【０１４０】
ステップＳ３６において、制御部３４は、選択した運転モード選択信号を運転モード切換手段３５に送信する。運転モード切換手段３５は、制御部３４から送信された運転モード選択信号を受けると、対応する送風手段２５に作動信号を送信し、その他の運転モードに停止信号を送信する。制御部３４は、運転モードを選択したら、ステップＳ１（図１２参照）に戻る。
【０１４１】
建物外温度Ｔｇが設定温度範囲に含まれないと判定した場合（ステップＳ３５，ＮＯ）、ステップＳ１３（図１３）に移行する。つまり、建物外温度Ｔｇが、設定温度範囲に含まれない場合は、送風は行わず基本全館空調運転を行う。
【０１４２】
設定温度範囲ボタン６１及び設定湿度範囲ボタン６２の両方がＯＮになっている場合（ステップＳ３１，ＹＥＳ）、全館空調高省エネ運転における温度及び湿度を設定した制御を行う（ステップＳ３７）。全館空調高省エネ運転において、温度及び湿度を設定した場合、図８に示すように、建物外温度Ｔｇ及び建物外湿度Ｍｇが設定範囲に含まれた場合のみ送風を行う。その他の条件の場合は図１３のステップＳ１３（符合「Ｅ」で示す）及び図１４のステップＳ２３（符合「Ｆ」で示す）に移行して基本全館空調運転を行う。全館空調高省エネ運転の温度及び湿度を設定した場合の詳細な動作については、前記した温度の条件に湿度の条件を加えるだけであるため説明を省略する。
【０１４３】
また、設定湿度範囲ボタン６２のみＯＮになっていると判定した場合（ステップＳ３２，ＹＥＳ）、全館空調高省エネ運転における湿度のみ設定した制御を行う（ステップＳ３８）。全館空調高省エネ運転において、湿度のみ設定した場合、図７の（ｂ）に示すように、建物外湿度Ｍｇが設定湿度範囲に含まれた場合のみ送風を行う。その他の条件の場合は図１４のステップＳ２３（符合「Ｆ」で示す）に移行して基本全館空調運転を行う。全館空調高省エネ運転の湿度のみを設定した場合については、前記した温度の条件を湿度の条件に置き換えるだけなので、詳細な動作については説明を省略する。
【０１４４】
以上説明した全館空調高省エネ運転では、建物外温度Ｔｇが設定温度範囲に含まれている場合は、空調機の運転モードを送風手段２５に切り換えて建物１００の内部に外気をそのまま取り入れる。つまり、送風手段２５では、外気を加熱、冷却、除湿及び加湿せずに、そのまま取り入れる。送風手段２５は、冷房手段２１、暖房手段２２、除湿手段２３及び加湿手段２４に比べて消費するエネルギーが少ないため、省エネルギー化を図ることができる。また、設定温度範囲に含まれている外気を取り入れることで、建物１００の内部を利用者が望む環境に空調することができる。また、利用者は、温度の範囲を設定できるため、空調機にかかる負担を軽減できるとともに、環境共生効果も増大させることができる。
【０１４５】
また、全館空調高省エネ運転では、予め記憶された切換条件に基づいて運転モードが切り換わるため、利用者の操作負担を低減することができる。また、本実施形態では、最初にボタンを操作するだけで、送風によって外気を効率よく取り入れつつ、建物１００の内部を快適な状態に保つことができる。
【０１４６】
＜全館空調低省エネ運転の動作＞
図１２に示すように、ステップＳ４において、低省エネボタンがＯＮになっていると判定した場合（ステップＳ４，ＹＥＳ）、図１６に示すように、制御部３４は、全館空調低省エネ運転の制御を行う。ここでは、全館空調低省エネ運転において、温度のみ設定した場合を中心に説明する。
【０１４７】
制御部３４は、設定温度範囲ボタン６１が及び設定湿度範囲ボタン６２の両方がＯＮになっているか否か判定する（ステップＳ４１）。
【０１４８】
設定温度範囲ボタン６１が及び設定湿度範囲ボタン６２の両方がＯＮになっていない場合（ステップＳ４１，ＮＯ）、制御部３４は、設定湿度範囲ボタン６２のみがＯＮになっているか否か判定する（ステップＳ４２）。
【０１４９】
設定湿度範囲ボタン６２のみがＯＮになっていない場合（ステップＳ４２，ＮＯ）、制御部３４は、設定温度範囲ボタン６１のみがＯＮになっているか否か判定する（ステップＳ４３）。
【０１５０】
設定温度範囲ボタン６１のみがＯＮになっている場合（ステップＳ４３，ＹＥＳ）、制御部３４は、温度信号を受信したか否か判定する（ステップＳ４４）。設定温度範囲ボタン６１のみがＯＮになっていない場合（ステップＳ４３，ＮＯ）、つまり、設定温度範囲ボタン６１及び設定湿度範囲ボタン６２のいずれもＯＮになっていない場合、ステップ４１に戻る。
【０１５１】
温度信号を受信したと判定した場合（ステップＳ４４，ＹＥＳ）、制御部３４は、建物外温湿度センサＫ１によって計測された建物外温度Ｔｇが設定温度範囲に含まれており、かつ、建物内温湿度センサＫ２によって計測された建物内温度Ｔｒが設定温度範囲に含まれているか否か判定する（ステップＳ４５）。温度信号を受信しないと判定した場合（ステップＳ４４，ＮＯ）、ステップＳ４４の判定を繰り返し行う。
【０１５２】
建物外温度Ｔｇが設定温度範囲に含まれ、かつ、建物内温度Ｔｒが設定温度範囲に含まれると判定した場合（ステップＳ４５，ＹＥＳ）、制御部３４は、記憶部３３に予め記憶されている切換条件を参照して送風を選択する（ステップＳ４６）。
【０１５３】
ステップＳ４６において、制御部３４は、選択した運転モード選択信号を運転モード切換手段３５に送信する。運転モード切換手段３５は、制御部３４から送信された運転モード選択信号を受けると、対応する送風手段２５に作動信号を送信し、その他の運転モードに停止信号を送信する。制御部３４は、運転モードを選択したら、ステップＳ１（図１２参照）に戻る。
【０１５４】
建物外温度Ｔｇ及び建物内温度Ｔｒの少なくとも一方が設定温度範囲に含まれていないと判定した場合（ステップＳ４５，ＮＯ）、ステップＳ１３（図１３）に移行する。つまり、建物外温度Ｔｇが、設定温度範囲に含まれない場合は、送風は行わず基本全館空調運転を行う。
【０１５５】
設定温度範囲ボタン６１が及び設定湿度範囲ボタン６２の両方がＯＮになっている場合（ステップＳ４１，ＹＥＳ）、全館空調高省エネ運転における温度及び湿度を設定した制御を行う（ステップＳ４７）。全館空調高省エネ運転において、温度及び湿度を設定した場合、図１１に示すように、建物外温度Ｔｇ、建物外湿度Ｍｇ、建物内温度Ｔｒ及び建物内湿度Ｍｒの全てが設定範囲に含まれた場合のみ送風を行う。その他の条件の場合は図１３のステップＳ１３（符合「Ｅ」で示す）及び図１４のステップＳ２３（符合「Ｆ」で示す）に移行して基本全館空調運転を行う。全館空調高省エネ運転の温度及び湿度を設定した場合の詳細な動作については、前記した温度の条件に湿度の条件を加えるだけであるため説明を省略する。
【０１５６】
また、設定湿度範囲ボタン６２のみＯＮになっていると判定した場合（ステップＳ４２，ＹＥＳ）、全館空調低省エネ運転における湿度のみ設定した制御を行う（ステップＳ４８）。全館空調低省エネ運転において、湿度のみ設定した場合、図１０に示すように、建物外湿度Ｍｇが設定湿度範囲に含まれ、かつ、建物内湿度Ｍｒが設定湿度範囲に含まれる場合のみ送風を行う。その他の条件の場合は図１４のステップＳ２３（符合「Ｆ」で示す）に移行して基本全館空調運転を行う。全館空調低省エネ運転の湿度のみを設定した場合については、前記した温度の条件を湿度の条件に置き換えるだけなので、詳細な動作については説明を省略する。
【０１５７】
以上説明した全館空調低省エネ運転では、建物外温度Ｔｇ及び建物内温度Ｔｒが設定温度範囲に含まれている場合は、空調機の運転モードを送風手段２５に切り換えて建物１００の内部に外気をそのまま取り入れる。送風手段２５は、冷房手段２１、暖房手段２２、除湿手段２３及び加湿手段２４に比べて消費するエネルギーが少ないため、省エネルギー化を図ることができる。また、設定温度範囲に含まれている外気を取り入れることで、建物１００の内部を利用者が望む環境に空調することができる。また、利用者は、温度の範囲を設定できるため、空調機にかかる負担を軽減できるとともに、環境共生効果も増大させることができる。
【０１５８】
また、全館空調低省エネ運転では、建物の内部の温度を設定温度範囲に含まれた状態にしてから外気を取り入れることで、省エネの効率は前記した全館空調高省エネ運転に比べて劣るが、快適性は向上させることができる。
【０１５９】
また、予め記憶された切換条件に基づいて運転モードが切り換わるため、利用者の操作負担を低減することができる。また、本実施形態では、最初にボタンを操作するだけで、外気を効率よく取り入れつつ、建物１００の内部を快適な状態に保つことができる。
【０１６０】
ここで、従来の空調システムは、例えば温度の設定を範囲ではなく、一の温度を設定するものであった。しかし、一の温度の設定ではその温度に人体が順応してしまい、温度環境に対する適応能力が低下する慮りもある。この点、本実施形態によれば、例えば温度を範囲として設定できるため、温度環境に対する適応能力の低下を防ぐことができる。また、例えば温度の設定を範囲で行い、かつ、送風を行って外気を建物１００の内部に取り入れることにより環境共生効果を相乗的に高めることができる。
【０１６１】
以上、本発明の実施形態について説明したが、発明の趣旨に反しない範囲において適宜設計変更が可能である。例えば、基本全館空調運転において、建物内温度Ｔｒ又は建物内湿度Ｍｒが設定範囲に含まれている場合、その環境状況を維持するために空調システム１の運転を一旦停止させ、それ以降の判定時において設定範囲に建物内温度Ｔｒ又は建物内湿度Ｍｒが含まれていないと判定した場合、空調システム１を再度作動させてもよい。
【符号の説明】
【０１６２】
１      空調システム
２      空調機
３      連結ダクト
４      制御装置
１１    室内機
１２    室外機
１３    外気取得手段
１４    排気手段
１５    リターンエア取得手段
２１    冷房手段
２２    暖房手段
２３    除湿手段
２４    加湿手段
２５    送風手段
２６    清浄手段
２７    脱臭手段
３１    操作パネル
３２    計測手段
３３    記憶部
３４    制御部
３５    運転モード切換手段
Ｋ１    建物外温湿度センサ
Ｋ２    建物内温湿度センサ
Ｔｇ    建物外温度
Ｔｒ    建物内温度
Ｍｇ    建物外湿度
Ｍｒ    建物内湿度
【図１】
2012172952.tif 000003
【図２】
2012172952.tif 000004
【図３】
2012172952.tif 000005
【図４】
2012172952.tif 000006
【図５】
2012172952.tif 000007
【図６】
2012172952.tif 000008
【図７】
2012172952.tif 000009
【図８】
2012172952.tif 000010
【図９】
2012172952.tif 000011
【図１０】
2012172952.tif 000012
【図１１】
2012172952.tif 000013
【図１２】
2012172952.tif 000014
【図１３】
2012172952.tif 000015
【図１４】
2012172952.tif 000016
【図１５】
2012172952.tif 000017
【図１６】
2012172952.tif 000018